(57)【特許請求の範囲】
【請求項１】
隣接する防水パンの接合部を嵌合状態で接合した浴室の洗い場が複数の防水パンを備え、一方の防水パンの接合部には下方に向かう垂下片を設け、他方の防水パンの接合部には、下方に垂下する垂れ壁と、垂れ壁の下端部から前記他方の防水パンの外側に向けて斜め上方に傾斜して立ち上がる斜壁とからなる嵌合溝が形成されている浴室の床構造であって、一方の防水パンの接合部には、床面と略平行な上部板片が床面より低くなるように段差を付けて設けられ、該上部板片の先端に前記垂下片が設けられ、他方の防水パンの接合部には、床面と略水平な下部板片が前記斜壁の先端から外側に向けて延設されていると共に、前記一方の防水パンの床面から前記垂下片の下端までの寸法は前記他方の防水パンの床面から前記嵌合溝の底面までの寸法と略等しく形成され、前記上部板片と前記下部板片との間に水密材が介在され、前記上部板片と前記下部板片とが前記水密材を介して上下に重ね合わせられた状態で水密に接合され、上部板片は周囲の防水パンの床面と略面一となるようにカバー材で覆われていることを特徴とする浴室の床構造。
【発明の詳細な説明】
【０００１】
【発明の属する技術分野】
本発明は、浴室の床構造に関する。
【０００２】
【従来の技術】
高齢者や身体障害者等を車椅子で入浴させたり、ベッドに寝かせた状態で入浴させるための浴室は、大型化されている。このような大型の浴室に対応するため、浴室の床を搬入、据付けが可能なサイズの複数の防水パンに分割し、これらを隣接配置して接続し、大型の浴室の床構造にすることは、以前より知られている。
【０００３】
上記大型の浴室の床構造として対応できる従来技術として、例えば、特開平１１−２８０１３０号公報記載の床パンと、特開２０００−２３０２６１号公報記載の連結防水パンが挙げられる。
【０００４】
特開平１１−２８０１３０号公報記載の床パンは、浴槽側床パンにおける立ち上げ片と洗い場側床パンにおける立ち下げ片とを内面側で重ね合わせて接続し、これによって、水密性を向上させた。また、立ち上げ片と立ち下げ片との接続部を排水凹溝のグレーチングで見えないように隠し、外観性を向上させた。
【０００５】
特開２０００−２３０２６１号公報記載の連結防水パンは、防水パンの一側辺に排水溝を形成し、該防水パンを排水溝が対向するように設置して排水溝にグレーチングを載置し、対向する防水パンをコ字形分割カバーで連結し、連結部を含む全体を面一としたものとし、且つ連結部における漏水を防ぐようにした。
【０００６】
【発明が解決しようとする課題】
しかしながら、特開平１１−２８０１３０号公報記載の床パンにおいては、浴槽側床パンにおける立ち上げ片の上から洗い場側床パンにおける立ち下げ片を内面側で重ね合わせるので、立ち下げ片の内面側に立ち上げ片が隠れてしまい、浴槽側床パンと洗い場側床パンとの位置決めが目視で確認しにくい。
このため、防水パンの連結部の位置調整に手間がかかるという問題がある。また、連結部の位置調整が不正確であると、重ね合わせた立ち上げ片と立ち下げ片との水密性を損なうこととなる。
【０００７】
特開２０００−２３０２６１号公報記載の連結防水パンにおいては、対向する防水パンをコ字形分割カバーで連結しているので、対向する防水パンの位置決めが不正確であると、分割カバーで連結できない。このため、分割カバーの連結を確認しながら正確に位置調整する必要があり、この場合も、連結部の位置調整に手間がかかるという問題がある。
また、浴室は、屋内の狭い限られた空間内で施工されることが多いので、一人工数では無理なことが多く、防水パンの連結部の位置調整に人手がかかるという問題がある。
【０００８】
本発明は、上記従来技術の欠点を解消し、隣接する防水パンの位置調整が容易な浴室の床構造を提供することにある。
【０００９】
【課題を解決するための手段】
請求項１記載の発明は、隣接する防水パンの接合部を嵌合状態で接合した浴室の洗い場が複数の防水パンを備え、一方の防水パンの接合部には下方に向かう垂下片を設け、他方の防水パンの接合部には、下方に垂下する垂れ壁と、垂れ壁の下端部から前記他方の防水パンの外側に向けて斜め上方に傾斜して立ち上がる斜壁とからなる嵌合溝が形成されている浴室の床構造であって、一方の防水パンの接合部には、床面と略平行な上部板片が床面より低くなるように段差を付けて設けられ、該上部板片の先端に前記垂下片が設けられ、他方の防水パンの接合部には、床面と略水平な下部板片が前記斜壁の先端から外側に向けて延設されていると共に、前記一方の防水パンの床面から前記垂下片の下端までの寸法は前記他方の防水パンの床面から前記嵌合溝の底面までの寸法と略等しく形成され、前記上部板片と前記下部板片との間に水密材が介在され、前記上部板片と前記下部板片とが前記水密材を介して上下に重ね合わせられた状態で水密に接合され、上部板片は周囲の防水パンの床面と略面一となるようにカバー材で覆われていることを特徴とする。
【００１１】
（作用）
請求項１記載の本発明の浴室の床構造によると、一方の防水パンの垂下片を他方の防水パンの嵌合溝に挿入して、隣接する防水パンの接合部を嵌合状態で接合するとき、垂下片が斜壁に沿ってスライドさせられて、隣接する防水パン同士が引き寄せられるようになされている。
従って、多少の位置ずれがあっても自動的に垂下片が嵌合溝に挿入されるので、隣接する防水パンの位置調整が容易である。
このような位置調整の作業は、一方の防水パンの上に乗って上から荷重をかけるようにすればよいので、一人作業でも楽にできる。
【００１２】
しかも、上部板片と下部板片との間に水密材が介在され、上部板片と下部板片とが水密材を介して上下に重ね合わせられた状態で水密に接合されるので、接合部の防水性を確保できる。上部板片は、周囲の防水パンの床面と略面一となるようにカバー材で覆われているので、床面の歩行に支障がなく、浴室の安全性を確保できる。
【００１３】
【発明の実施の形態】
以下、この発明の実施の形態を図面に基づいて説明する。
図１〜図４は、本発明の一実施の形態であって、図１（イ）は浴室の平面図、（ロ）は（イ）のＸ−Ｘ線における断面図、（ハ）は（ロ）の嵌合溝の拡大断面図である。図２は防水パンの接合部を拡大した斜視図である。図３はカバー材とカバー受けの断面図である。図４は防水パンの接合方法を示す説明図である。
図５は浴室の変形例を示す平面図である。
【００１４】
本実施の形態の浴室１の床構造は、３枚の防水パン２，３，４を隣接配置し、これらを互いに接合して構成されたものである。
防水パン２，３，４は、いずれも、ＦＲＰ（繊維強化合成樹脂）で形成されており、平面視略同じ大きさの長方形板状になされている。
防水パン２，３および防水パン３，４は、いずれも、長辺側を互いに突き合わせて配置される。
【００１５】
防水パン２は、洗い場の床面を形成するパン本体２１の三方周縁に立ち上げ壁２０が設けられ、この立ち上げ壁２０の上端に外側に向かって略Ｌ字形に突出する壁受け部２０Ａが設けられている（図２参照）。この壁受け部２０Ａには、不図示の浴室１の壁パネルが立設される。
【００１６】
防水パン３は、洗い場の床面を形成するパン本体３１の対向する短辺に立ち上げ壁３０が設けられ、この立ち上げ壁３０の上端に外側に向かって略Ｌ字形に突出する壁受け部３０Ａが設けられている（図２参照）。この壁受け部３０Ａには、不図示の浴室１の壁パネルが立設される。
【００１７】
防水パン４は、主として浴槽４２を設置するための床面を形成するパン本体４１の三方周縁に、上記防水パン１と同様、立ち上げ壁が設けられ、この立ち上げ壁の上端に外側に向かって略Ｌ字形に突出して壁パネルが立設される壁受け部が設けられている。
浴槽４２の正面側のパン本体４１には、排水溝の上方を覆うグレーチング４３が設けられている。
【００１８】
上記浴室１の床構造において、図１（イ）のＸ−Ｘ線における隣接する防水パン２，３の接合部の断面図は、図１（ロ）に示しているが、図１（イ）のＹ−Ｙ線における隣接する防水パン３，４の接合部の断面図は、前記図１（ロ）と同様であるので、図示省略している。
そこで、防水パン２，３の接合部を代表例にとり、その断面図である図１（ロ）を参照しながら、浴室１の床構造について以下詳細に説明する。
【００１９】
本実施の形態の浴室１の床構造は、隣接する防水パン２，３の接合部を嵌合状態で接合したものである。この防水パン２，３の接合部は、洗い場となるパン本体２１，３１の長辺に沿って設けられている。
一方の防水パン２の接合部には、パン本体２１の床面と略平行な上部板片２２が床面より低くなるように段差を付けて設けられ、この上部板片２２の先端に垂下片２２が設けられている。
【００２０】
他方の防水パン３の接合部には、パン本体３１の端縁から下方に垂下する垂れ壁３３と、垂れ壁３３の下端部から外側斜め上方に傾斜して立ち上がる斜壁３４とを設けて嵌合溝３６が形成されている。垂れ壁３３と斜壁３４とが交差する底部には底壁３５が形成されているが、この底壁３５の内側の幅は、前記垂下片２２の厚さと略同じになされている。
また、他方の防水パン３の接合部には、パン本体３１の床面と略水平な下部板片３２が上記斜壁３４の先端から外側に向けて延設されている。
下部板片３２とパン本体２１の床面との間隔は、上部板片２２とパン本体２１の床面との間隔より大きくなされている。
【００２１】
上記構成の防水パン２，３の接合部において、前記垂下片２３を嵌合溝３６に挿入するとき、垂下片２３を斜壁３４に沿わせてスライドさせると、隣接する防水パン２，３同士を引き寄せ可能になされている。
【００２２】
また、上記構成の防水パン２，３の接合部において、上部板片２２と下部板片３２との間に水密材７（ポリエチレン等の合成樹脂発泡体）を介在させ、上部板片２２と下部板片３２とを上下に重ね合わせ、水密材７を押圧状態にしてビス９により水密に接合される。
上部板片２２が垂れ壁３３と交差する部分、および嵌合溝３６に挿入された垂下片２３の下端部に、止水材１０，１０を充填するようにすると、水密性が一層向上する。
下部板片３２の下側には、補強材８が設けられていて、上記ビス９の先端はこの補強材８に固着される。
また、水密材７のずれ防止のため下部板片３２の先端に上向きの屈曲部３２１を設けている。
【００２３】
上部板片２２は、周囲の防水パン２，３の床面と略面一となるようにカバー材５で覆われている。
この際、上部板片２２の上面に、前記ビス９を使用してカバー受け６を取り付け、このカバー受け６に嵌着させてカバー材５を取り付けている。
【００２４】
カバー材５とカバー受け６は、図３に詳細に示している。
カバー材５は、長尺板状のカバー本体５１の裏面側に長手方向に沿って２本の断面片矢印状の脚部５２，５２が垂設されている。
カバー受け６は、長尺板状本体６１の表面の両側縁に２本の断面片矢印状の係止部６２，６２が立設されている。また、板状本体６１の中央部には、長手方向に沿って複数個のビス孔６３が形成されている。
カバー材５は、上記断面片矢印状の脚部５２，５２を変形させてカバー受け６の係止部６２，６２に嵌着される。
【００２５】
つぎに、上記構成になされた浴室１の床構造の施工方法について説明する。
屋内の浴室１の設置空間に、浴槽４２が載置される防水パン４を設置し、裏面側に排水管等を配管施工しておく。
つぎに、防水パン４に隣接して防水パン３を配置し、防水パン３，４を接合した後、防水パン３に隣接して防水パン２を配置し、防水パン２，３を接合する。
【００２６】
防水パン２，３の接合部の接合方法を、図４を参照して詳細に説明する。なお、防水パン３，４の接合は、防水パン２，３の接合と同じであるので、説明は省略する。
【００２７】
図４（イ）に示すように、先に設置した防水パン３の下部板片３２の上に水密材７を取り付け、この下部板片３２の上に防水パン２の上部板片２２を重ね合わせて、防水パン２を配置する。
つぎに、図４（ロ）に示すように、前記垂下片２３を嵌合溝３６に挿入するとき、水密材７を圧縮しながら防水パン２を上から押し付け、垂下片２３を斜壁３４に沿わせてスライドさせる。
垂下片２３が嵌合溝３６に収まったとき、パン本体２１，３１の床面は略同一面となるようになされている。すなわち、パン本体２１の床面から垂下片２３の下端までの寸法は、パン本体３１の床面から嵌合溝３６の底面までの寸法と略同じになされている。
【００２８】
そこで、さらにパン本体２１，３１の床面が同一面となるまで押し付けると、図４（ハ）に示すように、隣接する防水パン２，３同士が引き寄せられ、垂下片２３が嵌合溝３６の底壁３５に挿入され、防水パン２，３が所定の位置に位置決めされる。
【００２９】
図４（ニ）に示すように、上部接合片２２の上にカバー受け６を設置し、その上からビス９を補強材８まで貫通させ、図４（ホ）に示すように、カバー受け６とともに上部板片２２と下部板片３２とを接合する。最後に、カバー受け６にカバー材５を嵌着する。
【００３０】
（本実施の形態の作用）
本実施の形態の浴室１の床構造によると、一方の防水パン２の垂下片２３を他方の防水パン３の嵌合溝３６に挿入して、隣接する防水パン２，３の接合部を嵌合状態で接合するとき、垂下片２３を斜壁３４に沿わせてスライドさせると、隣接する防水パン２，３同士を引き寄せ可能になされている。
従って、多少の位置ずれがあっても自動的に垂下片２３が嵌合溝３６に挿入され、隣接する防水パン２，３の位置調整が容易である。
このような位置調整の作業は、一方の防水パン２の上に乗って上から荷重をかけるようにすればよいので、一人作業でも楽にできる。
【００３１】
さらに、接合部の上部板片２２と下部板片３２との間に水密材７を介在させ、上部板片２２と下部板片３２とを上下に重ね合わせて水密に接合されるので、接合部の防水性を確保できる。
上部板片２２は、周囲の防水パン２，３の床面と略面一となるようにカバー材５で覆われているので、床面の歩行に支障がなく、浴室１の安全性を確保できる。
【００３２】
以上、本発明を上記実施の形態に基づいて説明してきたが、本発明はこの実施の形態に限られるものではなく、本発明の要旨を変更しない範囲の設計変更等があっても本発明に含まれる。
例えば、本実施の形態の浴室１の床構造は、３枚の防水パン２，３，４で構成されたが、真ん中の防水パン３を使用しないで、図５に示す浴室１Ａのように、２枚の防水パン２，４で構成してもよい。このようにすると、標準サイズの浴室１Ａにも対応できる。
【００３３】
【発明の効果】
請求項１記載の本発明の浴室の床構造によると、隣接する防水パンの接合部の位置調整が容易であるから、作業工数を短縮できる。
【００３４】
しかも、接合部の防水性を確保できるとともに、接合部がカバー材で覆われているので、床面の歩行に支障がなく、浴室の安全性を確保できる。
【図面の簡単な説明】
【図１】本発明の一実施の形態であって、（イ）は浴室の平面図、（ロ）は（イ）のＸ−Ｘ線における断面図、（ハ）は（ロ）の嵌合溝の拡大断面図である。
【図２】防水パンの接合部の拡大斜視図である。
【図３】カバー材とカバー受けの断面図である。
【図４】防水パンの接合方法を示す説明図である。
【図５】浴室の変形例を示す平面図である。
【符号の説明】
１，１Ａ    浴室
２，３，４  防水パン
２２        上部板片
２３        垂下片
３２        下部板片
３３        垂れ壁
３４        斜壁
３６        嵌合溝
５          カバー材
７          水密材
【図１】
0004128800.tif 000002
【図２】
0004128800.tif 000003
【図３】
0004128800.tif 000004
【図４】
0004128800.tif 000005
【図５】
0004128800.tif 000006